(57)【要約】  １つ以上の物品を梱包するためのカートンは、第１のパネルと第２のパネルとを備える。第１のパネルは、第２のパネルと少なくとも部分的に重なる関係で配置されて重複領域を画する。カートンは、第１のパネルから重複領域に亘って第２のパネルまで連接的に延在する、切断用の脆弱線を含む。第１のパネルは、重複領域によって少なくとも部分的に画定され、かつ、重複領域内にある第１のパネルの一部分に少なくとも部分的に延在する、凹部を備える。凹部は、第２のパネルの切断用の脆弱線の少なくとも一部に割り当てられて配置される。
2015520082.tif 000002
【特許請求の範囲】
【請求項１】
１つ以上の物品を梱包するためのカートンであって、当該カートンは、第１のパネルと第２のパネルとを備え、前記第１のパネルは、前記第２のパネルと少なくとも部分的に重なる関係で配置されて重複領域を画定し、前記第１のパネルは、前記第１のパネルから前記重複領域に亘って前記第２のパネルまで連接的に延在する、切断用の脆弱線を備え、
前記第１のパネルは、前記重複領域によって少なくとも部分的に画定され、かつ、前記重複領域内にある前記第１のパネルの一部分に少なくとも部分的に延在する、凹部または切込みを備え、前記凹部は、前記第２のパネルの前記切断用の脆弱線の少なくとも一部に割り当てられて配置されることを特徴とするカートン。
【請求項２】
前記第１のパネルに画定された前記切断用の脆弱線は、前記凹部と交差する、または、前記凹部で終端することを特徴とする請求項１に記載のカートン。
【請求項３】
前記切断用の脆弱線は、ハンドル機構の一部を画定することを特徴とする請求項１に記載のカートン。
【請求項４】
前記切断用の脆弱線は、前記カートンから物品を移動するためのアクセス手段の一部を画定することを特徴とする請求項１に記載のカートン。
【請求項５】
前記凹部は、前記第１及び第２のパネルの厚み方向において、前記第２のパネルの前記切断用の脆弱線の少なくとも一部と揃えられることを特徴とする請求項１に記載のカートン。
【請求項６】
前記第２のパネルの前記切断用の脆弱線の少なくとも一部は、前記重複領域内に位置することを特徴とする請求項１に記載のカートン。
【請求項７】
１つ以上の物品を梱包するためのカートンであって、当該カートンは、頂壁、第１の側壁、第２の側壁、第１の端壁、第２の端壁、及び底壁を含む複数の壁を備え、前記複数の壁の１つは、第１のパネル及び第２のパネルを備え、前記第１のパネルは、前記第２のパネルと少なくとも部分的に重なる関係で配置されて重複領域を画定し、前記複数の壁の１つは、前記第１のパネルから前記重複領域に亘って前記第２のパネルまで連接的に延在する、切断用の脆弱線を備え、
前記第１のパネルは、前記重複領域によって少なくとも部分的に画定され、かつ、前記重複領域内にある前記第１のパネルの一部分に少なくとも部分的に延在する、凹部または切込みを備え、前記凹部は、前記第２のパネルの前記切断用の脆弱線の少なくとも一部に割り当てられて配置されることを特徴とするカートン。
【請求項８】
前記頂壁、前記第１の側壁、前記第２の側壁及び前記底壁は、前記第１及び第２の端壁によって少なくとも部分的にそれぞれ閉じられた、対向する両端を有する筒状構造を形成し、前記複数の壁の１つは、前記第１の端壁を備え、前記第１の側壁は、第１の端部閉鎖パネル及び第２の端部閉鎖パネルを備え、前記第１及び第２の端部閉鎖パネルは、前記第１のパネル及び前記第２のパネルをそれぞれ備え、前記凹部または切込みは、前記第１の端壁の前記第１の端部閉鎖パネルから打ち抜かれ、かつ、前記第１の端壁の前記第２の端部閉鎖パネルの前記切断用の脆弱線の少なくとも一部に重なることを特徴とする請求項７に記載のカートン。
【請求項９】
前記凹部また切込みは、前記第１の端部閉鎖パネルの自由端縁から延在し、前記第１の端部閉鎖パネルの前記凹部または切込みが亘って延在する部分は、前記第１の端部閉鎖パネルの半分の幅より小さい幅を有し、前記第１の端部閉鎖パネルの幅は、前記第１の端部閉鎖パネルの自由端縁と、前記第１の端部閉鎖パネルと前記複数の壁のうちの隣接する壁との間のヒンジ式連結部と、の間の距離として定義されることを特徴とする請求項８に記載のカートン。
【請求項１０】
前記第１の端部閉鎖パネルは、第２の凹部をさらに備え、第１の凹部は、前記第１の端部閉鎖パネルの第１の自由端縁から延在し、前記第２の凹部は、前記第１の端部閉鎖パネルの第２の自由端縁から延在し、前記第１の自由端縁は、前記第２の自由端縁の反対に位置することを特徴とする請求項８に記載のカートン。
【請求項１１】
前記凹部または切込みは、前記第１及び第２のパネルの厚み方向において、前記第２のパネルの前記切断用の脆弱線の少なくとも一部と揃えられることを特徴とする請求項７に記載のカートン。
【請求項１２】
前記第２のパネルの前記切断用の脆弱線の前記少なくとも一部は、前記重複領域内に位置することを特徴とする請求項７に記載のカートン。
【請求項１３】
当該カートンは、前記複数の壁の１つの前記第１のパネルに部分的に、かつ、前記複数の壁の１つの前記第２のパネルに部分的に、画定されるハンドル機構を有し、前記切断用の脆弱線は、前記ハンドル機構の少なくとも一部を画定することを特徴とする請求項７に記載のカートン。
【請求項１４】
頂壁、第１の側壁、第２の側壁、第１の端壁、第２の端壁、及び底壁を含む複数の壁を備える、１つ以上の物品を梱包するためのカートンであって、当該カートンは、前記１つ以上の物品にアクセスするための移動可能部分を有し、前記移動可能部分は、前記複数の壁の１つの第１のパネルに部分的に、かつ、前記複数の壁の１つの第２のパネルに部分的に画定され、前記第１のパネルは、前記第２のパネルと少なくとも部分的に重複する関係に配置されて重複領域を画定し。前記移動可能部分は、前記第１のパネルから前記重複領域に亘って前記第２のパネルに連接的に延在する、切断用の脆弱線を備え、前記第１のパネルは、前記重複領域に少なくとも部分的に画定された凹部または切込みを備え、前記凹部または切込みは、前記第２のパネルの前記切断用の脆弱線の少なくとも一部に割り当てられて配置されていることを特徴とするカートン。
【請求項１５】
前記頂壁、前記第１の側壁、前記第２の側壁及び前記底壁は、前記第１及び第２の端壁によって少なくとも部分的にそれぞれ閉じられた、対向する両端を有する筒状構造を形成し、前記複数の壁の１つは、前記第１の端壁を備え、前記第１の側壁は、第１の端部閉鎖パネル及び第２の端部閉鎖パネルを備え、前記第１及び第２の端部閉鎖パネルは、前記第１のパネル及び前記第２のパネルをそれぞれ備え、前記凹部または切込みは、前記第１の端壁の前記第１の端部閉鎖パネルから打ち抜かれ、かつ、前記第２の端部閉鎖パネルの前記切断用の脆弱線の少なくとも一部に重なることを特徴とする請求項１４に記載のカートン。
【請求項１６】
前記凹部または切込みは、前記第１及び第２のパネルの厚み方向において、前記第２のパネルの前記切断用の脆弱線の少なくとも一部と揃えられることを特徴とする請求項７に記載のカートン。
【請求項１７】
前記第２のパネルの前記切断用の脆弱線の前記少なくとも一部は、前記重複領域内に位置することを特徴とする請求項１４に記載のカートン。
【請求項１８】
カートンを形成するためのブランクであって、前記ブランクは、第１のパネルと第２のパネルとを備え、前記第１のパネルは、組み立てられたカートンにおける前記第２のパネルと少なくとも部分的に重なる関係で使い捨てられるように配置されて重複領域を画定し、前記カートンは、前記第１のパネル及び前記第２のパネルに画定される、切断用の脆弱線を備え、前記切断用の脆弱線は、前記切断用の脆弱線が前記第１のパネルから前記重複領域に亘って前記第２のパネルに連接的に延在するように、組み立てられたカートンにおいて連接的に構成され、前記第１のパネルは、前記重複領域に少なくとも部分的に画定され、かつ、前記重複領域の前記第１のパネルの一部を少なくとも部分的に亘って延在する凹部または切込みを備え、前記凹部または切込みは、前記第２のパネルの前記切断用の脆弱線の少なくとも一部に割り当てられて配置されることを特徴とするブランク。
【請求項１９】
前記凹部は、前記ブランクがカートンに組み立てられる際に、前記第１及び第２のパネルの厚み方向において、前記第２のパネルの前記切断用の脆弱線の少なくとも一部と揃えられることを特徴とする請求項１８に記載のブランク。
【請求項２０】
前記第２のパネルの前記切断用の脆弱線の少なくとも一部は、前記ブランクがカートンに組み立てられる際に前記重複領域内に位置することを特徴とする請求項１８に記載のブランク。
【発明の詳細な説明】
【技術分野】
【０００１】
本願は、それら全内容が参照文献として本願に援用される、それぞれ２０１２年５月１５日、２０１２年７月１０日、及び、２０１３年４月１１日に出願の米国仮特許出願第６１／６４７，４８２号、６１／６７０，００７号、及び６１／８１０，８４２号明細書の利益を主張するものである。
【０００２】
本願は、カートン及びカートンを形成するためのブランクに関し、より具体的かつ非限定的には、カートンンの少なくとも１つのパネルの破断を容易にするための破断機構を有するカートンに関する。
【背景技術】
【０００３】
梱包分野において、複数の主要製品容器を備える梱包を消費者に提供する必要がよくある。このような複数パックは、発送及び流通のため、また、販促情報の表示のために好ましい。費用及び環境への配慮のため、このようなカートンまたはキャリアは、できるだけ少ない材料から形成され、できるだけそれらが形成される材料の無駄を少なくする必要がある。別の考慮すべきことは、パッケージの強度、及び、重い物品の重量を保持し、移送する適合性である。
【０００４】
限定するものではないが、ハンドル及び／または取り出し口またはアクセス手段などが装備された複数パックを提供することが好まれる。これらの装備は、カートンの一部がカートンの別の部分から破断または分離されることを必要とすることが多く、このことは、カートンが作られる材料の２枚以上の重なった層を破断または分離することを必要とし得る。本願は、このような重なった層の破断を容易にする破断機構を提供する。
【発明の概要】
【発明が解決しようとする課題】
【０００５】
本願は、先行技術の課題を克服する、または少なくとも軽減することを課題とする。
【課題を解決するための手段】
【０００６】
本願発明の第１態様によると、１つ以上の物品を梱包するためのカートンであって、当該カートンは、第１のパネルと第２のパネルとを備え、前記第１のパネルは、前記第２のパネルと少なくとも部分的に重なる関係で配置されて重複領域を画定し、前記第１のパネルは、前記第１のパネルから前記重複領域に亘って前記第２のパネルまで連接的に延在する、切断用の脆弱線を備え、前記第１のパネルは、前記重複領域によって少なくとも部分的に画定され、かつ、前記重複領域内にある前記第１のパネルの一部分に少なくとも部分的に延在する、凹部または切込みを備え、前記凹部は、前記第２のパネルの前記切断用の脆弱線の少なくとも一部に割り当てられて配置されることを特徴とするカートンが提供される。
【０００７】
付随的に、前記凹部または切込みは、前記重複領域内にある前記第１のパネルの一部に少なくとも部分的に亘って延在する。
【０００８】
付随的に、前記第２のパネルの前記切断用の脆弱線の少なくとも一部は、前記重複領域内に位置する
【０００９】
付随的に、前記第１のパネルに画定された前記切断用の脆弱線は、前記凹部と交差する、または、前記凹部で終端する。
【００１０】
随意的に、前記切断用の脆弱線は、ハンドル機構の一部を画定する
【００１１】
追加的にまたは代替的に、前記切断用の脆弱線は、前記カートンから物品を移動するためのアクセス手段の一部を画定する。
【００１２】
随意的に、前記凹部は、前記第１及び第２のパネルの厚み方向において、前記第２のパネルの前記切断用の脆弱線の少なくとも一部と揃えられる。
【００１３】
本願発明の第２の態様よると、１つ以上の物品を梱包するためのカートであって、当該カートンは、頂壁、第１の側壁、第２の側壁、第１の端壁、第２の端壁、及び底壁を含む複数の壁を備え、前記複数の壁の１つは、第１のパネル及び第２のパネルを備え、前記第１のパネルは、前記第２のパネルと少なくとも部分的に重なる関係で配置されて重複領域を画定し、前記複数の壁の１つは、前記第１のパネルから前記重複領域に亘って前記第２のパネルまで連接的に延在する、切断用の脆弱線を備え、前記第１のパネルは、前記重複領域によって少なくとも部分的に画定され、かつ、前記重複領域内にある前記第１のパネルの一部分に少なくとも部分的に延在する、凹部または切込みを備え、前記凹部は、前記第２のパネルの前記切断用の脆弱線の少なくとも一部に割り当てられて配置されるカートンが提供される。
【００１４】
ある実施形態では、前記頂壁、前記第１の側壁、前記第２の側壁及び前記底壁は、前記第１及び第２の端壁によって少なくとも部分的にそれぞれ閉じられた、対向する両端を有する筒状構造を形成し得る。前記複数の壁の１つは、前記第１の端壁を備え、前記第１の側壁は、第１の端部閉鎖パネル及び第２の端部閉鎖パネルを備え得る。前記第１及び第２の端部閉鎖パネルは、前記第１のパネル及び前記第２のパネルをそれぞれ備え、前記凹部または切込みは、前記第１の端壁の前記第１の端部閉鎖パネルから打ち抜かれ、かつ、前記第１の端壁の前記第２の端部閉鎖パネルの前記切断用の脆弱線の少なくとも一部に重なり得る。
【００１５】
前記凹部また切込みは、前記第１の端部閉鎖パネルの自由端縁から延在し、前記第１の端部閉鎖パネルの前記凹部または切込みが亘って延在する部分は、前記第１の端部閉鎖パネルの半分の幅より小さい幅を有し得る。前記第１の端部閉鎖パネルの幅は、前記第１の端部閉鎖パネルの自由端縁と、前記第１の端部閉鎖パネルと前記複数の壁のうちの隣接する壁との間のヒンジ式連結部と、の間の距離として定義され得る。
【００１６】
随意的に、前記第１の端部閉鎖パネルは、第２の凹部をさらに備え、前記第１の凹部は、前記第１の端部閉鎖パネルの第１の自由端縁から延在し、前記第２の凹部は、前記第１の端部閉鎖パネルの第２の自由端縁から延在し、前記第１の自由端縁は、前記第２の自由端縁の反対に位置する。
【００１７】
前記凹部または切込みは、前記第１及び第２のパネルの厚み方向において、前記第２のパネルの前記切断用の脆弱線の少なくとも一部と揃えられる。
【００１８】
前記第２のパネルの前記切断用の脆弱線の前記少なくとも一部は、前記重複領域内に位置し得る。
【００１９】
当該カートンは、前記複数の壁の１つの前記第１のパネルに部分的に、かつ、前記複数の壁の１つの前記第２のパネルに部分的に、画定されるハンドル機構を有し、前記切断用の脆弱線は、前記ハンドル機構の少なくとも一部を画定し得る。
【００２０】
本願発明の第３の態様によると、頂壁、第１の側壁、第２の側壁、第１の端壁、第２の端壁、及び底壁を含む複数の壁を備える、１つ以上の物品を梱包するためのカートであって、当該カートンは、前記１つ以上の物品にアクセスするための移動可能部分を有し、前記移動可能部分は、前記複数の壁の１つの第１のパネルに部分的に、かつ、前記複数の壁の１つの第２のパネルに部分的に画定され、前記第１のパネルは、前記第２のパネルと少なくとも部分的に重複する関係に配置されて重複領域を画定し。前記移動可能部分は、前記第１のパネルから前記重複領域に亘って前記第２のパネルに連接的に延在する、切断用の脆弱線を備え、前記第１のパネルは、前記重複領域に少なくとも部分的に画定された凹部または切込みを備え、前記凹部または切込みは、前記第２のパネルの前記切断用の脆弱線の少なくとも一部に割り当てられて配置されているカートンが提供される。
【００２１】
ある実施形態では、前記頂壁、前記第１の側壁、前記第２の側壁及び前記底壁は、前記第１及び第２の端壁によって少なくとも部分的にそれぞれ閉じられた、対向する両端を有する筒状構造を形成し、前記複数の壁の１つは、前記第１の端壁を備え、前記第１の側壁は、第１の端部閉鎖パネル及び第２の端部閉鎖パネルを備え、前記第１及び第２の端部閉鎖パネルは、前記第１のパネル及び前記第２のパネルをそれぞれ備え、前記凹部または切込みは、前記第１の端壁の前記第１の端部閉鎖パネルから打ち抜かれ、かつ、前記第２の端部閉鎖パネルの前記切断用の脆弱線の少なくとも一部に重なる。
【００２２】
本願発明の第４の態様によると、カートンを形成するためのブランクであって、前記ブランクは、第１のパネルと第２のパネルとを備え、前記第１のパネルは、組み立てられたカートンにおける前記第２のパネルと少なくとも部分的に重なる関係で使い捨てられるように配置されて重複領域を画定し、前記カートンは、前記第１のパネル及び前記第２のパネルに画定される、切断用の脆弱線を備え、前記切断用の脆弱線は、前記切断用の脆弱線が前記第１のパネルから前記重複領域に亘って前記第２のパネルに連接的に延在するように、組み立てられたカートンにおいて連接的に構成され、前記第１のパネルは、前記重複領域に少なくとも部分的に画定され、かつ、前記重複領域の前記第１のパネルの一部を少なくとも部分的に亘って延在する凹部または切込みを備え、前記凹部または切込みは、前記第２のパネルの前記切断用の脆弱線の少なくとも一部に割り当てられて配置されることを特徴とするブランクが提供される。
【００２３】
本願の範囲内において、ここまでの段落、特許請求の範囲、及び／又は以下の説明及び図面において示される様々な態様、実施形態、実施例、特徴点、及び変形例は、単独で利用してもよく、これらを任意に組み合わせて利用してもよいものと意図されている。例えば、一実施形態と関連させて説明された特徴は、この特徴が不適合なものでない限りは、全実施形態に適用可能である。
【００２４】
本願の例示的実施形態が、添付する図面を参照に説明される。
【図面の簡単な説明】
【００２５】
【図１】図１は、本願の第１の実施形態によるカートンを形成するためブランクの上方からの平面図である。
【図２】図２は、図１のブランクの第１部分の上方からの拡大図である。
【図３】図３は、図１のブランクの第２部分の上方からの拡大図である。
【図４】図４は、ハンドル機構が収容された状態を示す、図１のブランクから形成されたカートンの端部分の上方からの斜視図である。
【図５】図５は、ハンドル機構が展開された状態を示す、図１のブランクから形成されたカートンの端部分の上方からの斜視図である。
【図６】図６は、本願の第２の実施形態によるカートンを形成するためブランクの上方からの平面図である。
【図７】図７は、本願の第３の実施形態によるカートンを形成するためブランクの上方からに平面図である。
【図８】図８は、本願の破断機構の別の実施形態のさらなる用途を示す、カートンを形成するためのブランクの平面図である。
【図９】図９は、図８のブランクから形成されるカートンの上、後ろ、及び横からの斜視図であり、取り外し可能のアクセス機構の取り外し中に、破断機構が使用されている。
【図１０】図１０は、図８のブランクから形成されるカートンの上、後ろ、及び横からの斜視図であり、取り外し可能のアクセス機構が取り外された後、カートン／梱包から１つ１つ取り出せるように最前列の物品が露出している。
【図１１】図１１は、本願の破断機構の別の実施形態のさらなる用途を図示するカートンを形成するブランクの平面図である。
【図１２】図１２は、図１１のブランクから形成されるカートンまたは梱包の上、後ろ、及び横からの斜視図である。
【図１３】図１３は、使用者がカートンに設けられたアクセス機構を使用してカートンの開口を始める様を示す、図１２のカートンの部分的な斜視図である。
【図１４】図１４は、使用者の指が、カートンの開口を始め、アクセス機構が設けられた端壁の一部を把持する様を図示する、図１２のカートンの内側からの部分的な斜視図である。
【図１５】図１５は、図１２のカートンの端側からの斜視図であり、アクセス機構が完全に展開され、端壁及び側壁の取り外し可能なセクションが、取り出すために少なくとも１つの物品を露出するように取り除かれている。
【図１６Ａ】図１６Ａは、複合端壁及びそこに形成されるアクセス機構の構成の形成を示す、本願のさらなる実施形態によるカートンの端側及び上からの部分的な斜視図である。
【図１６Ｂ】図１６Ｂは、複合端壁及びそこに形成されるアクセス機構の構成の形成を示す、本願のさらなる実施形態によるカートンの端側及び上からの部分的な斜視図である。
【図１７Ａ】図１７Ａは、複合端壁及びそこに形成されるアクセス機構の構成の形成を示す、本願のまたさらなる実施形態によるカートンの端側及び上からの部分的な斜視図である。
【図１７Ｂ】図１７Ｂは、複合端壁及びそこに形成されるアクセス機構の構成の形成を示す、本願のまたさらなる実施形態によるカートンの端側及び上からの部分的な斜視図である。
【発明を実施するための形態】
【００２６】
梱包、ブランク、及びカートンの特定の実施形態の詳細が、本願に開示される。開示される実施形態は、単に、本願のある態様が実施され得る方法の例であり、実施され得る本願の全ての包括的なリストを示すものではないことが理解されるだろう。本願で使用されるように、「例示的」との用語は、図示、見本、モデル、またはパターンとしての役割を果たす実施形態に言及するために拡張的に使用される。実際、本願に開示される梱包、ブランク、及び、カートンは、様々な、かつ代替的な形で実施され得る。図は、スケールされたものなくてもよく、いくつかの特徴は、特定の構成物の詳細を示すために誇張され、または極小化され得る。周知の部材、材料、または方法は、本願の開示の邪魔にならないように極めて詳細に説明される必要はない。本願に開示される、いずれの特定の構造的かつ機能的な詳細も、限定するように解釈されるべきではなく、単に、特許請求の範囲の基として、かつ、当業者が本願を様々に採用するように教示するためのだい代表する基として解釈されるべきである。
【００２７】
本願は、折り畳める材料のブランクから形成されるカートンの２つの隣接するパネルの破断を容易にするための破断機構に関する。破断機構は、梱包分野において著しい利益を有し、破断機構が、例えば、開口機構、分配機構、端部を引く手段、ハンドルを含む運搬機構、把持機構、及び同類物の形成における梱包において様々に採用されることが当業者には認識されるだろう。このような用途において、よく、カートンまたは梱包配置の第１のパネル及び第２のパネルは、少なくとも部分的に重ねられて貼り合わせられる。本願は、重ねられた第１及び第２のパネルによって画定される重複領域において形成される破断線または脆弱線の制御された破断を簡単にする破断機構を提供する。本願の機構は、第１のパネル及び第２のパネル両方における切断線、脆弱線、破断線、または、なんらかの形の切断用の脆弱線を備える。切断線、脆弱線、破断線、または、なんらかの形の切断用の脆弱線は、第１及び第２のパネルの重複領域に亘るように連接するように構成される。本願の破断機構は、第２のパネルと重複する関係にある第１のパネルの一部に画定され、第１のパネルの一部に亘って延在する凹部を設ける。凹部は、第２のパネルに亘って延在する、切断用の切断線または脆弱線の一部に割り当てられて配置され、これにより、同時に２つのパイルの材料を破断する必要性がなくなる。これにより、破断機構が、梱包の機構を始動するまたは展開するために、梱包の使用者が切断用の脆弱線を破断する、または、第１及び第２のパネルを部分的に分離することをより簡単にする。下記の説明において、本願の破断機構の図示する用途が提供されるが、破断機構は別の有益な梱包用途で実施され得る。
【００２８】
図１を参照すると、限定することはないが、以降では物品と称するボトルや缶などの１つ以上の主要製品容器を梱包するためのカートン９０を形成できるブランク１０の平面図が示される。
【００２９】
本願で説明される実施形態において、「カートン」及び「キャリア」との用語は、本願の様々な機構を図示する目的に限らず、製品用容器などの物品を係合し、運搬し、かつ／または分配するための容器を意味する。本発明の教示が、先細、かつ／または、円筒であってもそうでなくてもよい様々な商品用容器に適用され得ることが検討される。例示的な容器は、ボトル（例えば、金属、ガラス、またはプラスチックのボトル）、缶（例えば、アルミ缶）、ブリキ容器、袋、パック、及び同類物を含む。
【００３０】
ブランク１０は、適切な基材のシートから形成される。本願で使用される「適切な基材」との用語は、板紙、段ボール、プラスチック、これらの組み合わせ、及び、同類物などのあらゆる種類の折り畳めるシート材を含む。例えば、下記により詳細に説明されるキャリア構造物を提供するために適切な、１つまたは複数のブランクが採用されてもよい。
【００３１】
例示的な実施形態では、ブランク１０は、例示的な物品の例示的な配置を梱包するためのカートン９０またはキャリアを形成するように構成される。例示的に図示された第１の実施形態では、配置が２×６のマトリックスまたは列であり得、物品は缶である。ブランク１０は、別のタイプ、数、及びサイズの物品を梱包するため、かつ／または、異なる配置または構成で物品を梱包するための、キャリア９０を形成するように代替的に構成され得る。
【００３２】
ブランク１０は、組み立てられたカートン９０におけるボトムパネル１２、第１のサイドパネル１４、トップパネル１６、及び、第２のサイドパネル１８を形成する複数のメインパネル１２、１４、１６、１８を備える。接着パネル２０は、折り目１１に沿ってボトムパネル１２にヒンジ式で連結される。ボトムパネル１２は、折り目１３で第１のサイドパネル１４にヒンジ式で連結される。第１のサイドパネル１４は、折り目１５でトップパネル１６にヒンジ式で連結される。トップパネル１６は、折り目１７で第２のサイドパネル１８にヒンジ式で連結される。
【００３３】
複数のメインパネル１２、１４、１６、１８は、組み立てられた状態で筒状構造を形成する。筒状形状の各端部は、端部閉鎖パネル２２ａ、２４ａ、２６ａ、２８ａ、２２ｂ、２４ｂ、２６ｂ、２８ｂによって少なくとも部分的に閉じられる。端部閉鎖パネル２２ａ、２４ａ、２６ａ、２８ａは、筒状構造の第１の端部を閉じるように構成され、端部閉鎖パネル２２ｂ、２４ｂ、２６ｂ、２８ｂは、筒状構造の第２の端部を閉じるように構成される。第１の端部閉鎖パネル２２ａは、折り目２１ａでボトムパネル１２の第１の端部にヒンジ式で連結される。第２の端部閉鎖パネル２４ａは、折り目２３ａで第１のサイドパネル１４の第１の端部にヒンジ式で連結される。第３の端部閉鎖パネル２６ａは、折り目２５ａでトップパネル１６の第１の端部にヒンジ式で連結される。第４の端部閉鎖パネル２８ａは、折り目２７ａで第２のサイドパネル１８の第１の端部にヒンジ式で連結される。
【００３４】
第５の端部閉鎖パネル２２ｂは、折り目２１ｂでボトムパネル１２の第２の端部にヒンジ式で連結される。第６の端部閉鎖パネル２４ｂは、折り目２３ｂで第１のサイドパネル１４の第２の端部にヒンジ式で連結される。第７の端部閉鎖パネル２６ｂは、折り目２５ｂでトップパネル１６の第２の端部にヒンジ式で連結される。第８の端部閉鎖パネル２８ｂは、折り目２７ｂで第２のサイドパネル１８の第２の端部にヒンジ式で連結される。
【００３５】
ハンドル機構または端部を引く手段Ｅは、第１及び第３の端部閉鎖パネル２２ａ、２６ａ内に設けられる。第２及び第４の端部閉鎖パネル２４ａ、２８ａは、切断用の破断線または脆弱線３４ａ、３４ｂ、３０ａ、３０ｂを備える。切断用の脆弱線３４ａ、３４ｂ、３０ａ、３０ｂは、第１及び第３の端部閉鎖パネル２２ａ、２６ａ内に設けられる端部を引く手段Ｅと協働する。
【００３６】
第２の端部閉鎖パネル２４ａは、切断用の第１の脆弱線３４ａと切断用の第２の脆弱線３４ｂとを備える。切断用の第１及び第２の脆弱線３４ａ、３４ｂは、第２の端部閉鎖パネル２４ａを横切り、第２の端部閉鎖パネル２４ａがヒンジ式で連結される第１のサイドパネル１４内に延在する。好ましくは、切断用の第１及び第２の脆弱線３４ａ、３４ｂは、折り目１３、１５に略平行に配置され、言い換えると、折り目２３ａに略垂直に配置される。
【００３７】
第１の折り目３６ａは、第１のサイドパネル１４内に設けられる。第１の折り目３６ａは、第１のサイドパネル１４に配置された第１の脆弱線３４ａの端から、ボトムパネル１２と第１のサイドパネル１４との間の折り目１３に延在する。好ましくは、第１の折り目３６ａは、折り目２３ａに対して接するように配置され、第１の折り目３６ａは、折り目１３に近接する端より、第１の脆弱線３４ａに近接する端部の折り目２３ａにより近くに近接するように配置される。
【００３８】
第２の折り目３６ｂは、第１のサイドパネル１４内に設けられる。第２の折り目３６ｂは、第１のサイドパネル１４に配置された第２の脆弱線３４ｂの端から、トップパネル１６と第１のサイドパネル１４との間の折り目１５に延在する。好ましくは、第２の折り目３６ｂは、折り目２３ａに対して接するように配置され、第２の折り目３６ｂは、折り目１５に近接する端より、第２の脆弱線３４ｂに近接する端部の折り目２３ａにより近くに近接するように配置される。
【００３９】
第４の端部閉鎖パネル２８ａは、切断用の第３の脆弱線３０ａと切断用の第４の脆弱線３０ｂとを備える。切断用の第３及び第４の脆弱線３０ａ、３０ｂは、第４の端部閉鎖パネル２８ａを横切り、第４の端部閉鎖パネル２８ａがヒンジ式で連結される第２のサイドパネル１８内に延在する。好ましくは、切断用の第３及び第４の脆弱線３０ａ、３０ｂは、折り目１７に略平行に配置され、言い換えると、折り目２７ａに略垂直に配置される。
【００４０】
第３の折り目３２ａは、第２のサイドパネル１８内に設けられる。第３の折り目３２ａは、第２のサイドパネル１８に配置された第３の脆弱線３０ａの端から、トップパネル１６と第２のサイドパネル１８との間の折り目１７に延在する。好ましくは、第３の折り目３２ａは、折り目２７ａに対して接するように配置され、折り目１７に近接する端より、第３の脆弱線３０ａに近接する端部の折り目２７ａにより近くに近接するように配置される。
【００４１】
第４の折り目３２ｂは、第２のサイドパネル１８内に設けられる。第４の折り目３２ｂは、第２のサイドパネル１８に配置された第４の脆弱線３０ｂの端から、第２のサイドパネル１８の自由側端部に延在する。好ましくは、第４の折り目３２ｂは、折り目２７ａに対して接するように配置され、第２のサイドパネル１８の自由側端部に近接する端より、第４の脆弱線３０ｂに近接する端部の折り目２７ａにより近くに近接するように配置される。
【００４２】
図２は、第１の端部閉鎖パネル２２ａの拡大図を示す。第１の端部閉鎖パネル２２ａは、端部を引く手段Ｅの第１の部分を備える。端部を引く手段Ｅの第１の部分は、第１の横方向に配向された折り目４７によって部分的に、かつ、切断用の第１の脆弱線５１によって部分的に画定されるハンドル・フラップ５２を備える。第１の横方向に配向された折り目４７は、（第１の端部閉鎖パネル２２ａとボトムパネル１２との間の）折り目２１ａに略平行する。好ましくは、切断用の第１の脆弱線５１は、形状が略弓形であり、より好ましくは、形状が略半球形である。切断用の第１の脆弱線５１は、第１の横方向に配向された折り目４７の第１の端で始まり、第１の横方向に配向された折り目４７の第２の端部で終端する。
【００４３】
第１のウェブ・パネル４０ａは、第１の横方向に配向された折り目４７の第１の端部に設けられ、第２のウェブ・パネル４０ｂは、第１の横方向に配向された折り目４７の第２の端部に設けられる。第１のウェブ・パネル４０ａは、第１の切断線４３ａによって部分的に、第２の切断線４９ａによって部分的に、第１の折り目４１ａによって部分的に、そして、第２の折り目４５ａによって部分的に画定される。第１の切断線４３ａは、第１の横方向に配向された折り目４７から、第１の横方向に配向された折り目４７に対して所定角度で配置される。この角度は、約３°〜約１５°であってよい。第２の折り目４５ａは、第１の横方向に配向された折り目４７と切断線４３ａとの交点から延在し、第２の折り目４５ａは、第１の横方向に配向された折り目４７に垂直に配置される。第１の折り目４１ａは、切断線４３ａが第１の横方向に配向された折り目４７と接する端と反対の切断線４３ａの端から延在する。第１の折り目４１ａは、第２の折り目４５ａと平行である。第１の折り目４１ａと第２の折り目４５ａとの間の第２の切断線４９ａは、第１の折り目４１ａと第２の折り目４５ａとの間に延在し、かつ、第１及び第２の折り目４１ａ、４５ａに垂直に配置される。第２の切断線４９ａは、切断線４３ａと接する端と反対の第２の折り目４５ａの端から延在する。
【００４４】
第２の切断線４９ａは、第１の切断線４３ａと接する端と反対の第１の折り目４１ａの末端部にかつこの末端部を超えて延在する。第２の切断線４９ａは、第１の切断線４１ａの末端部を超えて延在し、第１の端部閉鎖パネル２２ａの第１の側端から切断された深いかつ／または長細い凹部（または切込み）と接するまたは交わる。これにより、第２の切断線４９ａが第１の端部閉鎖パネル２２ａ内に不必要に、かつ制御不能にさらに広がることが防止される。凹部または切込みＲは、図３に示され、凹部または切込みが、弓形の切断部分７３（末端部７３とも称される）内に向かい終端する、少なくとも略平行な２つの切込み側部７０ａ、７０ｂによって随意的に画定される。凹部Ｒは、随意的に長細く、これにより、切込み側部７０ａ、７０ｂの長さが切込み側部間の距離より大きい。随意的ではあるが、好ましくは、切込み側部７０ａ、７０ｂの長さは、切込み側部７０ａ、７０ｂ間の距離より約４倍〜１０倍大きくてもよい。凹部は、約４ｃｍ〜約６ｃｍの長さで、かつ、約０．３ｃｍ〜約１ｃｍの幅であってよい。
【００４５】
第２のウェブ・パネル４０ｂは、第１のウェブ・パネル４０ａに対してハンドル・フラップ５２の反対端に形成され、端部を引く手段Ｅの第１の部分が対称になるように同様に形成され成型される。第２のウェブ・パネル４０ｂは、第３の切断線４３ｂによって部分的に、第４の切断線４９ｂによって部分的に、第３の折り目４１ｂによって部分的に、そして、第４の折り目４５ｂによって部分的に画定される。
【００４６】
第３の切断線４３ｂは、第１の横方向に配向された折り目４７から延在し、第１の横方向に配向された折り目４７に対して所定角度で配置される。第３の折り目４１ｂは、第１の横方向に配向された折り目４７と切断線４３ｂとの交点から延在する。第３の折り目４１ｂは、第１の横方向に配向された折り目４７に垂直に配置される。第４の折り目４５ｂは、第３の切断線４３ｂが第１の横方向に配向された折り目４７と接する端と反対の第３の切断線４３ｂから延在する。第４の折り目４５ｂは、第３の折り目４１ｂと平行である。第４の切断線４９ｂは、第３の折り目４１ｂと第４の折り目４５ｂとの間に延在し、かつ、第３及び第４の折り目４１ｂ、４５ｂに垂直に配置される。
【００４７】
第４の切断線４９ｂは、第３の切断線４３ｂと接する端と反対の第３の折り目４１ｂの端から延在する。第４の切断線４９ｂは、第３の切断線４３ｂと接触する端と反対の第４の折り目４５ｂの端部に、かつ、この端部を超えて延在する。第４の切断線４９ｂは、第４の折り目４５ｂを超えて延在し、第１の端部閉鎖パネル２２ａの第２の側端から切断された凹部Ｒと接触または交わる。これにより、第４の切断線４９ｂが第１の端部閉鎖パネル２２ａ内に不必要に、かつ制御不能にさらに広がることが防止される。この凹部Ｒは、図３にも示され、随意的に、上述の凹部Ｒと同様かつ対称に成形され、寸法付けされ、比率が決められる。２つ以上の凹部Ｒが設けられる別の実施形態では、各凹部Ｒが、１つまたは複数の別の凹部Ｒと異なるように寸法付けされ、かつ／または、成形され、かつ／または、比率が決められてもよい。
【００４８】
第１の端部閉鎖パネル２２ａは、複数の凹部Ｒによって、第１及び第２のウェブ・パネル４０ａ、４０ｂによって、かつ、ハンドル・フラップ５２によって２つの部分に分割される。第１の端部閉鎖パネル２２ａは、第１の下部２２ａ’と第１の上部２２ａとに分割される。第１の下部２２ａ’は、端部を引く手段Ｅのハンドルまたはグリップ部分の一部を形成する。
【００４９】
図３は、第２の端部閉鎖パネル２６ａの拡大図を示す。第２の端部閉鎖パネル２６ａは、端部を引く手段Ｅの第２の部分を備える。端部を引く手段Ｅの第２の部分は、第２の端部閉鎖パネル２６ａを横方向に亘って延在し、かつ、端部を引く手段Ｅの第１の部分と同様に形成される。端部を引く手段Ｅの第２の部分は、第２の横方向に配向された折り目６７によって部分的に、かつ、切断用の第２の脆弱線７１によって部分的に画定される第２のハンドル・フラップ７２を備える。第２の横方向に配向された折り目６７は、折り目２５ａに略平行する。好ましくは、切断用の第２の脆弱線７１は、形状が略弓形であり、より好ましくは、形状が略半球形である。
【００５０】
切断用の第２の脆弱線７１は、第２の横方向に配向された折り目６７の第１の端で始まり、第２の横方向に配向された折り目６７の第２の端部で終端する。
【００５１】
第３のウェブ・パネル６０ａは、第２の横方向に配向された折り目６７の第１の端部に設けられ、第４のウェブ・パネル６０ｂは、第２の横方向に配向された折り目６７の第２の端部に設けられる。第３のウェブ・パネル６０ａは、第５の切断線６３ａによって部分的に、第６の切断線６９ａによって部分的に、第５の折り目６１ａによって部分的に、そして、第６の折り目６５ａによって部分的に画定される。第５の切断線６３ａは、第２の横方向に配向された折り目６７から延在し、第２の横方向に配向された折り目６７に対して所定角度で配置される。この角度は、約３°〜約１５°であってよい。第６の折り目６５ａは、第２の横方向に配向された折り目６７と第５の切断線６３ａとの交点から延在する。第６の折り目６５ａは、第２の横方向に配向された折り目６７に垂直である。第５の折り目６１ａは、第５の切断線６３ａが第２の横方向に配向された折り目６７と接する端と反対の第５の切断線６３ａの端から延在する。第５の折り目６１ａは、第６の折り目６５ａと平行である。第６の切断線６９ａは、第５の折り目６１ａと第６の折り目６５ａとの間に延在し、かつ、第５及び第６の折り目６１ａ、６５ａに垂直である。第６の切断線６９ａは、第５の切断線６３ａと接する端と反対の第６の折り目６５ａの端から延在する。第６の切断線６９ａは、第５の切断線６３ａと接触する端と反対の第５の折り目６１ａの端部に、かつ、この端部を超えて延在する。第６の切断線６９ａは、第５の折り目６１ａを超えて延在し、さらなる凹部Ｒの末端部７３と接触する、交わる、または、終端し、凹部Ｒは第２の端部閉鎖パネル２６ａの第１の側縁から切断される。さらなる凹部Ｒは、上述の凹部Ｒと同様に形成される。
【００５２】
第４のウェブ・パネル６０ｂは、第７の切断線６３ｂによって部分的に、第８の切断線６９ｂによって部分的に、第７の折り目６１ｂによって部分的に、そして、第８の折り目６５ｂによって部分的に画定される。
【００５３】
第７の切断線６３ｂは、第２の横方向に配向された折り目６７から延在し、第２の横方向に配向された折り目６７に対して所定角度で配置される。この角度は、約３°〜約１５°であってよい。第７の折り目６１ｂは、第２の横方向に配向された折り目６７と第７の切断線６３ｂとの交点から延在する。第７の折り目６１ｂは、第２の横方向に配向された折り目６７に垂直である。第８の折り目６５ｂは、第７の切断線６３ｂが第２の横方向に配向された折り目６７と接する端と反対の第７の切断線６３ｂの端から延在する。第８の折り目６５ｂは、第７の折り目６１ｂと平行である。第８の切断線６９ｂは、第７の折り目６１ｂと第８の折り目６５ｂとの間に延在し、かつ、第７及び第８の折り目６１ｂ、６５ｂに垂直である。第８の切断線６９ｂは、第７の切断線６３ｂと接する端と反対の第７の折り目６１ｂの端から延在する。第８の切断線６９ｂは、第７の切断線６３ｂと接触する端と反対の第８の折り目６５ｂの端部に、かつ、この端部を超えて延在する。第８の切断線６９ｂは、第８の折り目６５ｂを超えて延在し、凹部Ｒは第２の端部閉鎖パネル２６ａの第２の側縁から切断される凹部Ｒと接触する、交わる、または、終端する。また、凹部Ｒは、湾曲した末端部によって一端で接合された、離間した平行な切込み側部を備える。別の想定される実施形態では、凹部Ｒが直線または別の形状の末端部を備えてもよい。
【００５４】
第１の端部閉鎖パネル２２ａと同様に、第２の端部閉鎖パネル２６ａは、複数の凹部Ｒによって、第３及び第４のウェブ・パネル６０ａ、６０ｂによって、かつ、第２のハンドル・フラップ７２によって２つの部分に分割される。第２の端部閉鎖パネル２６ａは、第２の上部２６ａ’と第２の下部２６ａとに分割される。第２の下部２６ａは、端部を引く手段Ｅのハンドルまたはグリップ部分の一部を形成する。
【００５５】
図４及び図５に図示されるカートン９０の構築を検討すると、カートン９０が、直線の機械における一連の連続した作業によって形成されることが想定され、これにより、カートン９０を、その構築が完成するまで回転したり、ひっくり返したりする必要がない。折り工程は、下記のものに限定されず、特定の製造条件に従って変えられ得る。
【００５６】
カートン９０は、接着パネル２０を折り目１１で折ってボトムパネル１２に重なることによって形成される。トップパネル１６及び第２のサイドパネル１８は、折り目１５で折られ、これにより、トップパネル１６が第１のサイドパネル１４に重なり、第２のサイドパネル１８は、接着パネル２０及びボトムパネル１２に重なる。接着剤または別の接着処理が、接着パネル２０に、かつ／または、第２のサイドパネル１８の対応するエリアに塗布される。第２のサイドパネル１８は、接着パネル２０に固定され、平坦な潰れた筒状構造を形成する。この平坦な潰れた筒状構造は、開けて起こされ、正方形または長方形の断面形状を有する筒状構造を形成する。  
【００５７】
組み立てられた筒状構造には、１つまたは両方の端を通じて物品が積載される。１つまたは複数の端部閉鎖パネル２２ａ、２４ａ、２６ａ、２８ａ、２２ｂ、２４ｂ、２６ｂ、２８ｂは、外側に折られ、カートン９０への物品の投入を簡単にするじょうごとして機能してもよい。
【００５８】
物品が筒状構造に積載されると、筒状構造の両端が閉じられる。筒状構造の第１の端は、第２の端部閉鎖パネル２４ａを折り目２３ａで折ることと、第４の端部閉鎖パネル２８ａを折り目２７ａで折ること、とによって閉じられる。接着剤又は別の接着処理が、第２及び第４の端部閉鎖パネル２４ａ、２８ａの外側面に塗布される。別の実施形態では、接着剤又は別の接着処理が、第１及び第３の端部閉鎖パネル２２ａ、２６ａの対応する領域の内側面に塗布される。次いで、第３の端部閉鎖パネル２６ａが折り目２５ａで折られ、第２及び第４の端部閉鎖パネル２４ａ、２８ａに固定される。接着剤又は別の接着処理が、第３の端部閉鎖パネル２６ａの第２の下部２６ａの外側面、及び／または、第１の端部閉鎖パネル２２ａの第１の上部２２ａの内側面に塗布される。第１の端部閉鎖パネル２２ａは、折り目２１ａで折られ、第３の端部閉鎖パネル２６ａと接触するようにされ、これにより、第１の端部閉鎖パネル２２ａの第１の上部２２ａが、第３の端部閉鎖パネル２６ａの第２の下部２６ａと重なる関係になり、そこに固定され貼り合わせられる。
【００５９】
筒状構造の第２の端部は、第６の端部閉鎖パネル２４ｂを折り目２３ｂで折ることと、第８の端部閉鎖パネル２８ｂを折り目２７ｂで折ること、とによって閉じられる。接着剤又は別の接着処理が、第６及び第８の端部閉鎖パネル２４ｂ、２８ｂの外側面に塗布される。別の実施形態では、接着剤又は別の接着処理が、第５及び第７の端部閉鎖パネル２２ｂ、２６ｂの対応する領域の内側面に塗布される。第７の端部閉鎖パネル２６ｂが折り目２５ｂで折られ、第６及び第８の端部閉鎖パネル２４ｂ、２８ｂに固定される。接着剤又は別の接着処理が、第７の端部閉鎖パネル２６ｂの外側面、または、第５の端部閉鎖パネル２２ｂの内側面に塗布される。第５の端部閉鎖パネル２２ｂは、折り目２１ｂで折られ、第７の端部閉鎖パネル２６ｂと接触するようにされ、これにより、第５の端部閉鎖パネル２２ｂの一部が、第７の端部閉鎖パネル２６ｂの一部と重なる関係になり、そこに固定される。
【００６０】
ある実施形態では、筒状構造の一端が、残りの開口端を通じて物品を積載する前に閉じられてもよい。
【００６１】
組み立てられたカートン９０が、図４及び図５に示される。第１及び第３端部閉鎖パネル２２ａ、２６ａそれぞれの凹部Ｒは、第２の及び第４端部閉鎖パネル２４ａ、２８ａそれぞれに画定される切断用の脆弱線３４ａ、３４ｂ、３０ａ、３０ｂのそれぞれの一部に割り当てられるように配置される。各凹部Ｒは、形状が細長く、第２の及び第４端部閉鎖パネル２４ａ、２８ａそれぞれと重なる関係である第１及び第３端部閉鎖パネル２２ａ、２６ａに亘って延在するように寸法付けされる。各凹部Ｒは、付随的に閉鎖端７３（切断線４９ａ、４９ｂ、６９ａ、６０９ｂが終端する端）で湾曲している。これより、各凹部Ｒは、細長い「Ｕ字」形を有し、その幅より長さが長い。
【００６２】
端部を引く手段Ｅは、棚からカートン９０を移動する、または、スライドするように設けられ得、特に、カートン９０が、別のカートン９０、または、カートン９０の端壁２２ａ／２４ａ／２６ａ／２８ａ以外へのアクセスが制限される棚システムの壁と近接して積まれる際に役立つ。
【００６３】
使用者は、図５に示すようにハンドルＨを係合してカートン９０を引くことができる。ハンドルＨは、端部閉鎖パネル２６ａ、２２ａから折り曲げられ、または、配置される。また、切断用の第１の脆弱線３４ａと切断用の第２の脆弱線３４ｂとの間で画定される、第２の端部閉鎖パネル２４ａの領域が、カートン９０の外側に配置される。また、切断用の第３の脆弱線３０ａと切断用の第４の脆弱線３０ｂとの間で画定される、第４の端部閉鎖パネル２８ａの領域が、カートン９０の外側に配置される。これらの領域は、接着剤または別の接着処理によってハンドルＨに固定される。
【００６４】
ハンドルＨは、カートン９０内に配置される物品の筒の軸に垂直に配向されるように配置される。好ましくは、物品は、形状が少なくとも一部が略円筒状であり、このことが、折り目２３ａ、２７ａによって画定される角又はカートン９０内に空間を提供する。これらの空間は、ハンドルＨの両端がカートン９０の内側に配置されることを可能にし、このことが、ハンドルＨの中央部が、カートン９０の端部の外側に配置されることを可能にする。こうする中で、切断用の第１の脆弱線３４ａと切断用の第２の脆弱線３４ｂとの間で画定される、第２の端部閉鎖パネル２４ａの領域、及び、切断用の第３の脆弱線３０ａと切断用の第４の脆弱線３０ｂとの間で画定される、第４の端部閉鎖パネル２８ａの領域が、第２の上部２６ａ’及び第１の下部２２ａ’を通過して、または、外側を超えて通って、その外側なる必要があるかもしれない。第１及び第３端部閉鎖パネル２２ａ、２６ａに凹部Ｒを設けることによって、使用者は、材料の２つの層それぞれの切断用の脆弱線３４ａ、３４ｂ、３０ａ、３０ｂを容易に断ち切ることができる。使用者が、同時に２層の材料それぞれにおける切断用の脆弱線を断ち切る必要はない。
【００６５】
また、脆弱線３４ａ、３４ｂ、３０ａ、３０ｂが凹部Ｒの外形内で凹部Ｒと容易に揃えられることから、カートン９０を組み立てる際、凹部Ｒは、アライメント交差をもたらす。また、凹部Ｒの提供は、凹部Ｒが、ハンドルＨが利用される際、第１及び第３の端部閉鎖パネル２２ａ、２６ａを通過することで、第１及び第３の端部閉鎖パネル２２ａ、２６ａが第２及び第４の端部閉鎖パネル２４ａ、２８ａと干渉する可能性を低減させる。
【００６６】
ここで図６〜図１７Ｂを参照すると、本願の別の実施形態が示される。別の実施形態において、類似の符号は、できる限り、類似した部分を表すのに用いられている。但し、「１００」または「２００」」といった頭の数字の追加は、これらの特徴が第２、第３、第４実施形態にそれぞれ属することを示すためのものである。これら別の実施形態は、第１実施形態と共通の特徴を多く共有しているので、図１〜図５に図示された実施形態との差異のみを詳細に説明することとする。
【００６７】
図６は、カートン（図示せず）を形成するためのブランク１１０を図示する。ブランク１１０は、組み立てられたカートンにおける第１のトップパネル１１２ａ、第１のサイドパネル１１４、ボトムパネル１１６、第２のサイドパネル１１８、及び第２のトップパネル１１２ｂを形成する、複数のメインパネル１１２ａ、１１２ｂ、１１４、１１６、１１８を備える。接着パネル１２０は、第１のトップパネル１１２ａの側縁に沿って設けられる。第１のトップパネル１１２ａは、折り目１１１で第１のサイドパネル１１４にヒンジ式で連結される。第１のサイドパネル１１４は、折り目１１３でボトムパネル１１６にヒンジ式で連結される。ボトムパネル１１６は、折り目１１５で第２のサイドパネル１１８にヒンジ式で連結される。第２のトップパネル１１２ｂは、折り目１１７で第２のサイドパネル１１８にヒンジ式で連結される。
【００６８】
複数のメインパネル１１２ａ、１１２ｂ、１１４、１１６、１１８は、組み立てられた状態で筒状構造を形成し、筒状構造の両端それぞれは、端部閉鎖パネル１２２ａ、１２２ｃ、１２４ａ、１２６ａ、１２８ａ、及び、１２２ｂ、１２２ｄ、１２４ｂ、１２６ｂ、１２８ｂを備える端部閉鎖機構によって少なくとも部分的に閉じられる。端部閉鎖パネル１２２ａ、１２２ｃ、１２４ａ、１２６ａ、１２８ａは、筒状構造の第１の端を閉じるように構成され、端部閉鎖パネル１２２ｂ、１２２ｄ、１２４ｂ、１２６ｂ、１２８ｂは、筒状構造の第２の端部を閉じるように構成される。第１の端部閉鎖パネル１２２ａは、折り目１２１ａで第１のトップパネル１１２ａの第１の端部にヒンジ式で連結される。第２の端部閉鎖パネル１２４ａは、折り目１２３ａで第１のサイドパネル１１４の第１の端部にヒンジ式で連結される。第３の端部閉鎖パネル１２６ａは、折り目１２５ａでボトムパネル１１６の第１の端部にヒンジ式で連結される。第４の端部閉鎖パネル１２８ａは、折り目１２７ａで第２のサイドパネル１１８の第１の端部にヒンジ式で連結される。第５の端部閉鎖パネル１２２ｃは、折り目１２１ｃで第２のトップオアネル１１２ｂの第１の端部にヒンジ式で連結される。
【００６９】
第６の端部閉鎖パネル１２２ｂは、折り目１２１ｂで第１のトップパネル１１２ａの第２の端部にヒンジ式で連結される。第７の端部閉鎖パネル１２４ｂは、折り目１２３ｂで第１のサイドパネル１１４の第２の端部にヒンジ式で連結される。第８の端部閉鎖パネル１２６ｂは、折り目１２５ｂでボトムパネル１１６の第２の端部にヒンジ式で連結される。第９の端部閉鎖パネル１２８ｂは、折り目１２７ｂで第２のサイドパネル１１８の第２の端部にヒンジ式で連結される。第１０の端部閉鎖パネル１２２ｄは、折り目１２１ｄで第２のトップオアネル１１２ｂの第２の端部にヒンジ式で連結される。
【００７０】
組み立てられたカートンにおいて、第１のトップパネル１１２ａ及び第２のトップパネル１１２ｂは、複合トップパネル１１２ａ／１１２ｂを形成する。第１及び第５の端部閉鎖パネル１２２ａ、１２２ｃは第１の複合上端部閉鎖パネル１２２ａ／１２２ｃを形成する。第６及び第１０の端部閉鎖パネル１２２ｂ、１２２ｄは、第２の複合上端部閉鎖パネル１２２ｂ／１２２ｄを形成する。
【００７１】
第１及び第６の端部閉鎖パネル１２２ａ、１２２ｂそれぞれは、随意的な孔１６５、１６７をそれぞれ備える。
【００７２】
ブランク１１０は、梱包された物品へのアクセスを容易にするため、組み立てらたカートンにおけるアクセス手段または取り出し口を一緒に形成する、切断用の第１の脆弱線１２９ａと切断用の第２の脆弱線１２９ｂとを備える。切断用の第１の脆弱線１２９ａ及び切断用の第２の脆弱線１２９ｂは、伴に、組み立てられたカートンにおける連続した、または、連接したループを形成する。
【００７３】
切断用の第１の脆弱線１２９ａは、第１のサイドパネル１１４に部分的に、かつ、第２の端部閉鎖パネル１２４ａに部分的に設けられる。切断用の第１の脆弱線１２９ａは、第２の端部閉鎖パネル１２４ａの自由端縁から始まり、第２の端部閉鎖パネル１２４ａに亘って第１のサイドパネル１１４内まで延在する。
【００７４】
切断用の第１の脆弱線１２９ａは、略「Ｕ字」形状をしている。切断用の第１の脆弱線１２９ａは、第２に端部閉鎖パネル１２４ａ内に戻り、第２の端部閉鎖パネル１２４ａに亘って延在し、第２の端部閉鎖パネル１２４ａの自由端縁（切断用の第１の脆弱線１２９ａが始まる箇所から離間した箇所）で終端する。
【００７５】
切断用の第２の脆弱線１２９ｂは、第２のサイドパネル１１８に部分的に、かつ、第４の端部閉鎖パネル１２８ａに部分的に設けられる。切断用の第２の脆弱線１２９ｂは、第４の端部閉鎖パネル１２８ａの自由端縁に割り込む第１の凹部から始まり、第４の端部閉鎖パネル１２８ａに亘って第２のサイドパネル１１８内まで延在する。凹部または切込みＲは、互いに略平行であり、第４の端部閉鎖パネル１２８ａの端縁に略垂直な切込み側部１７０ａ、１７０ｂによって画定される。切込み側部１７０ａ、１７０ｂは、弓形の末端部１７３に収束する、または、弓形の末端部１７３で結合される。凹部Ｒは、第１の実施形態の凹部Ｒのように長細くなく、幅（切込み側部１７０ａ、１７０ｂ間の距離）の約２倍から４倍だけの長さを有してもよい。
【００７６】
切断用の第２の脆弱線１２９ｂは、第２のサイドパネル１１８内で略「Ｖ字」形状部分を有する。切断用の第２の脆弱線１２９ｂは、第４の端部閉鎖パネル１２８ａ内に戻り、第４の端部閉鎖パネル１２８ａに亘って延在し、第４の端部閉鎖パネル１２８ａの自由端縁に割り込む第２の凹部Ｒで終端する。第２の凹部または切込みＲは、随意的に第１の凹部Ｒと形状、サイズ、比率が同一である。別の実施形態では、第１及び第２の凹部Ｒは、切断用の第１の脆弱線１２９ａ及び切断用の第２の脆弱線１２９ｂの配置に応じて異なるように構成されてもよい。第２のサイドパネル１１８は、弓形の折り目が略「Ｃ字」形状である、随意的な第１の弓形折り目を備える（図６参照）。弓形折り目の各端は、切断用の第２の脆弱線１２９ｂと交差または接する。第２のサイドパネル１１８は、「Ｃ字」形の折り目から離間した随意的な直線的なの折り目を備える。直線的な折り目の各端は、切断用の第２の脆弱線１２９ｂと交差または接する。
【００７７】
第４の端部閉鎖パネル１２８の第１及び第２の凹部Ｒは、ブランク１１０が組み立てられカートンを形成する際に、各凹部Ｒが、切断用の第１の脆弱線１２９ａと重なる関係になるように配置される。好ましくは、凹部Ｒによって重なる、切断用の第１の脆弱線１２９ａの対応する部分それぞれが、第２の端部閉鎖パネル１２４ａの自由端縁で終端する、切断用の第１の脆弱線１２９ａの両端の少なくとも１つを含む。各凹部は、細長い形状であり、第２及び第４の端部閉鎖パネル１２４ａ、１２８ａの重複領域を部分的または完全に亘って延在するように寸法付けされることが想定される。各凹部Ｒで、多数の材料の層が、凹部Ｒ自体の存在によって１つの層に削減されることが理解できるだろう。それにしても、「重複領域」との用語は、凹部Ｒが位置する場所を含む、第２及び第４の端部閉鎖パネル１２４ａ、１２８ｂが通常重なる場所を含むように解釈されるべきである。
【００７８】
ブランク１１０は、第１のトップパネル１１２ａから打ち抜かれた第１のハンドル孔Ｈ１と、第２のトップパネル１１２ｂから打ち抜かれた第２のハンドル孔Ｈ２と、を備える随意的なハンドル機構を備える。また、ハンドル機構は、第１のトップパネル１１２ａに画定される第１の折り目１８１ａを備える。第１の折り目１８１ａは、ハンドル孔Ｈ１から、好ましくは、ハンドル孔Ｈ１のコーナーから折り目１２１ａ及び折り目１１１によって画定される第１のトップパネル１１２ａのコーナーに延在する。また、ハンドル機構は、第１のトップパネル１１２ａに画定され、ハンドル孔Ｈ１から、好ましくは、ハンドル孔Ｈ１のコーナーから折り目１２１ｂ及び折り目１１１によって画定される第１のトップパネル１１２ａのコーナーに延在する。また、ハンドル機構は、第２のトップパネル１１２ｂに画定され、ハンドル孔Ｈ２から、好ましくは、ハンドル孔Ｈ２のコーナーから折り目１２１ｃ及び折り目１１７によって画定される第２のトップパネル１１２ｂのコーナーに延在する。また、ハンドル機構は、第２のトップパネル１１２ｂに画定される第４の折り目１８１ｄを備える。第４の折り目１８１ｄは、ハンドル孔Ｈ２から、好ましくは、ハンドル孔Ｈ２のコーナーから折り目１２１ｄ及び折り目１１７によって画定される第２のトップパネル１１２ｂのコーナーに延在する。折り目１８１ａ、１８１ｂ、１８１ｃ、１８１ｄは、随意的であり、ある実施形態では省略されてもよい。
【００７９】
ブランク１１０がカートンに組み立てられる祭、第２及び第４の端部閉鎖パネル１２４ａ、１２８ａは、部分的に重複する関係に配置され、一緒に固定されてメインパネル１１２ａ、１２ｂ、１１４、１１６、１１８から形成される筒状構造の両端を閉じる。凹部Ｒは、切断用の第１の脆弱線１２９ａの両端に重なるように配置される。これにより、カートンの中身へのアクセス手段を生成するために、切断用の第１及び第２の脆弱線１２９ａ、１２９ｂによって画定されるカートンの一部を取り除く際に使用者が切り離さないといけない材料の枚数を低減するという利点が得られる。また、切断用の第１の脆弱線１２９ａを切断用の第２の脆弱線１２９ｂと正確に揃える必要がないため、カートンを組み立てるための制作交差を増大させる。
【００８０】
ここで図７を見ると、第３の実施形態におけるブランク２１０が示される。ブランク２１０は、組み立てられたカートンにおける第１のサイドパネル２１２、トップパネル２１４、第２のサイドパネル２１６、及び、ボトムパネル２１８を形成するための複数のメインパネル２１２、２１４、２１６、２１８を備える。接着パネル２２０は、折り目２１３で第１のサイドパネル２１２にヒンジ式で連結される。ボトムパネル２１２は、折り目２１３によってトップパネル２１４にヒンジ式で連結される。トップパネル２１４は、折り目２１５によって第２のサイドパネル２１６にヒンジ式で連結される。第２のサイドパネル２１６は、折り目２１７によってボトムパネル２１８にヒンジ式で連結される。
【００８１】
複数のメインパネル２１２、２１４、２１６、２１８は、筒状構造を形成するように折り畳み可能である。筒状構造の両端それぞれは、端部閉鎖パネル２２２ａ、２２４ａ、２２６ａ、２２８ａ、２２２ｂ、２２４ｂ、２２６ｂ、２２８ｂによって少なくとも部分的に閉じられる。端部閉鎖パネル２２２ａ、２２４ａ、２２６ａ、２２８ａは、筒状構造の第１の端を閉じるように構成され、端部閉鎖パネル２２２ｂ、２２４ｂ、２２６ｂ、２２８ｂは、筒状構造の第２の端部を閉じるように構成される。第１の端部閉鎖パネル２２２ａは、折り目２２１ａによって第１のサイドパネル２１２の第１の端部にヒンジ式で連結される。第２の端部閉鎖パネル２２４ａは、折り目２２３ａによってトップパネル２１４の第１の端部にヒンジ式で連結される。第３の端部閉鎖パネル２２６ａは、折り目２２５ａによって第２のサイドパネル２１６の第１の端部にヒンジ式で連結される。第４の端部閉鎖パネル２２８ａは、折り目２２７ａによってボトムパネル２１８の第１の端部にヒンジ式で連結される。
【００８２】
第５の端部閉鎖パネル２２２ｂは、折り目２２１ｂによって第１のサイドパネル２１２の第２の端部にヒンジ式で連結される。第６の端部閉鎖パネル２２４ｂは、折り目２２３ｂによってトップパネル２１４の第２の端部にヒンジ式で連結される。第７の端部閉鎖パネル２２６ｂは、折り目２２５ｂによって第２のサイドパネル２１６の第２の端部にヒンジ式で連結される。第８の端部閉鎖パネル２２８ｂは、折り目２２７ｂによってボトムパネル２１８の第２の端部にヒンジ式で連結される。
【００８３】
ブランク２１０は、第５の端部閉鎖パネル２２２ｂ及び第８の端部閉鎖パネル２２８ｂに画定される端部を引く手段Ｅを備える。端部を引く手段Ｅは、図１の第１の実施形態に対して上述されたものと略同じである。しかしながら、凹部Ｒは省略されている。第５の端部閉鎖パネル２２２ｂ及び第８の端部閉鎖パネル２２８ｂは、切断用の脆弱線が揃えられることを確かにするために第６の端部閉鎖パネル２２４ｂ及び第７の端部閉鎖パネル２２６ｂと正確に揃えられる必要がある。
【００８４】
ブランク２１０は、組み立てられたカートンを運ぶための随意的な運搬ハンドルＨを備える。
【００８５】
ブランク２１０は、カートンの中身にアクセスするためのアクセス手段を備える。アクセス手段は、第１の端部閉鎖パネル２２２ａに亘って第１のサイドパネル２１２内まで延在する切断用の第１の脆弱線２２９ａを備える。切断用の第１の脆弱線２２９ａは、第１のサイドパネル２１２とトップパネル２１４との間の折り目２１３に接するように第１のサイドパネル２１２を通って延在する。
【００８６】
アクセス手段は、第３の端部閉鎖パネル２２６ａに亘って第２のサイドパネル２１２内まで延在する切断用の第２の脆弱線２２９ｂを備える。切断用の第２の脆弱線２２９ｂは、第２のサイドパネル２１６とトップパネル２１４との間の折り目２１５に接するように第２のサイドパネル２１６を通って延在する。側部切断部２７０ａ、２７０ｂ及び末端部２７３によって画定される凹部または切込みＲは、第３の端部閉鎖パネル２２６ａの自由端縁に割り込む。凹部Ｒは、第２の実施形態の第１及び第２の凹部Ｒと略同様に形成される。切断用の第２の脆弱線２２９ｂは、凹部Ｒの閉じられた端部２７３に交差する、接する、または終端する。アクセス手段は、トップパネル２１４を横方向に亘って延在する、切断用の第３の脆弱線２５１を備える。切断用の第３の脆弱線２５１は、切断用の第１及び第２の脆弱線２２９ａ、２２９ｂと連接するように配置される。組み立てられたカートンにおいて、切断用の第１及び第２の脆弱線２２９ａ、２２９ｂは、カートンの取り外されるコーナー部分（図示せず）を画定する連続的または連接するループを形成する。アクセス手段は、随意的な指係合または破断開始手段を備える。破断開始手段は、折り目２５２によって部分的に画定されるタブ２５０を備える。折り目２５２は、そこで連接するように切断用の第３の脆弱線２５１に割り込む。タブ２５０は、切断線または切断用の第４の脆弱線２５６によって部分的に画定される。切断用の第４の脆弱線２５６は、それぞれが折り目２５２の両端のそれぞれと隣接する、または、連接する第１の端及び第２の端部を備える。さらなる随意的な折り目２５４は、タブ２５０亘って設けられ、組み立てられたカートンンの筒の軸に対して横方向に延在する。
【００８７】
ブランク２１０がカートンに組み立てられる祭、第１及び第３の端部閉鎖パネル２２２ａ、２２６ａは、部分的に重複する関係に配置され、一緒に固定されてメインパネル２１２、２１４、２１６、２１８によって形成される筒状構造の両端を閉じる。凹部Ｒは、切断用の第１の脆弱線２２９ａの端部に重なるように配置される。これにより、カートンの中身へのアクセス手段を生成するために、切断用の第１、第２及び第３の脆弱線２２９ａ、２２９ｂ、２５１によって画定されるカートンのコーナー部分を取り除く際に使用者が切り離さないといけない材料の枚数を低減するという利点が得られる。また、切断用の第１の脆弱線２２９ａを切断用の第２の脆弱線２２９ｂと正確に揃える必要がないため、カートンを組み立てるための制作交差を増大させる。
【００８８】
各凹部または切込みＲは、細長い形状であり、第１の端部閉鎖パネル２２２ａと重複する関係である第３の端部閉鎖パネル２２６ａの領域に亘って延在するように寸法付けされることが想定される。随意的に、長細いとは、幅より大きな長さであることを意味する。言い換えると、側部２７０ａ、２７０ｂの長さは、側部２７０ａ、２７０ｂ間の距離より大きい。
【００８９】
図８を参照すると、適切な基材のシート、例えば板紙、から形成される、ブランク３１０が示される。
【００９０】
例示的な実施形態では、ブランク３１０は、例示的な配置の例示的な物品を梱包するためのカートン３３０（図１０参照）を形成するように構成される。例えば、配置は３×４のマトリックスであり、物品は随意的にガラス製ボトルＡである。ブランク３１０は、別の物品及び／または異なる配置の物品を梱包するためのカートンを形成するように代替的に構成されてもよい。
【００９１】
ブランク３１０は、筒状のカートン３３０の本体を形成するためにヒンジ式で連結されたメインパネル３１８、３１６、３１４、３１２を備える。ヒンジ式で連結されたメインパネルは、折り目３１７、３１５、及び、３１３によってそれぞれ相互接続された、トップパネル３１８、第１のサイドパネル３１６、ボトムパネル３１４、及び、第２のサイドパネル３１２を含む。
【００９２】
一連のメインパネル３１８、３１６、３１４、３１２の各端部には、端部閉鎖フラップ３２８ａ、３２８ｂ、３２１ｃ／３２１ｄ、３２６ｂ、３２３ｂ、３２４ｂ、３２１ｂ／３２１ａ、３２２ｂが設けられる。
【００９３】
本体の各端部で端部閉鎖フラップ３２８ａ、３２８ｂ、３２１ｃ／３２１ｄ、３２６ｂ、３２３ｂ、３２４ｂ、３２１ｂ／３２１ａ、３２２ｂを合わせて、上述のものと同様に、インパネル３１８、３１６、３１４、３１２の各端部でパネル３１８、３１６、３１４、３１２が折れられて、一緒に固定されて端壁を形成する。
【００９４】
接着パネル３２０は、随意的に、折り目３１９に沿ってトップパネル３１８にヒンジ式で連結され、かつ、トップパネル３１８を第２のサイドパネル３１２に固定するために設けられる。ブランク３１０は、折り曲げられて通常の方法でカートン３３０に組み立てられる。
【００９５】
付随的に、ハンドル孔（３７０、３６６が付せられる）が、ブランク３１０から形成されるカートン梱包３３０の持ち上げ及び運搬を手助けするように設けられる。
【００９６】
アクセス機構（アクセス手段、取り出し口、または、取り外し可能部分とも称される）は、一連の折れやすいセクション（ミシン目セクションとも称される）３２８ａ。３２１ｂ、３２３ａ、３２１ａ、３７６、３３２、開始セクション３３２、及び、開始セクション切込み３７８を備える。
【００９７】
折れやすいセクション３２８ａ、３２１ｂ、３２３ａ、３２１ａ、３７６、３３２は、一連の折れやすい線（ミシン目とも称される）３５２、３４０、３３４、３７４ａ、３７４ｂ、３７４ｃ、３７４ｄ、及び３３８によって画定される。別の想定される実施形態では、アクセス機構は、カートン３３０の他端のみに設けられても、または、随意的にカートン３３０の両端に設けられてもよい。カートン３３０が組み立てられる際に、端部閉鎖フラップ３２１及び端部閉鎖フラップ３２３ｄは、少なくとも部分的に重なっている。これらのパネル３２１ｄ、３２３ｄの重なっている領域に凹部Ｒが設けられる。凹部Ｒは、収束する、非並行な側部切断部３７０ａ、３７０ｂと丸い末端部３７３とによって画定される略「Ｖ字」形の切断部に形成される。折れやすいセクション３２１ｄを部分的に画定する、折れやすい線３３４は、凹部Ｒのまっすぐまたは丸い末端部３７３で終端する。もしくは、凹部の末端部３７３は、尖っていても、湾曲していてもよい。
【００９８】
アクセス機構３２８ａ／３２１ｄ／３２３ａ／３２１ａ／３３２／３７６を有する複合端壁３２８ａ／３２３ｂ／３２１ｄ／３２１ｃ／３２１ａ／３２１ｂの外観図を図９で見ることができる。
【００９９】
上端部閉鎖パネル３２８ａは、アクセス機構が取り外される際にカートン３３０  から完全に取り除かれてもよいアクセス機構の第１の折れやすいセクションを提供することで、少なくともカートンの深さの約半分の完全なカートン幅の開口を提供する（図１０を参照）。好ましくは、上端部閉鎖パネル３２８ａが、底端部閉鎖フラップ３２３ｂの上部分３２３ａ、第１の側端部閉鎖フラップ３２１ｃ／３２１ｄの上部分３２１ｄ、及び、第２の側端部閉鎖フラップ３２１ａ／３２１ｂの上部分３２１ａに貼り合わせられる（随意的にホットメルト接着剤によって、だが別の適切な固定手段が使用されてもよい）。上端部閉鎖フラップ３２８ａは、トップパネル３１８を有する折れやすいヒンジ連結部３５２から離間した、先細になった側縁部を随意的に有してもよく、そうでなければ、アクセス機構の一部でないないカートン３３０の本体の一部に連結されない。上端部閉鎖パネル３２８ａは、アクセス機構の折れやすいセクション３２１ｄ、３２３ａ、３２１ａを互いに接続する役割を果たし得る。
【０１００】
折れやすい線３４０、３３４は、小さな端部閉鎖フラップ３２１ｃ／３２１ｄ内に配置され、端部閉鎖フラップ３２１ｃ／３２１ｄを、アクセス機構で取り除かれるセクション３２１ｄと、（第１のサイドパネル３１６を連結するヒンジ式連結部３２５ｃを介して）カートン３３０に取り付けられたまま残るセクション３２１ｃと、の２つのセクションに分離するように構成される。上述の凹部Ｒは、端部閉鎖フラップ３２１ｃ／３２１ｄの２つのセクションへの分離を容易にする。
【０１０１】
折れやすい線３７４ａ、３７４ｂは、有孔破断ストリップ３７６を形成するメイン端部閉鎖フラップ３２３ｂ内に配置される。破断ストリップ３７６の一端で、開始セクションが設けられることで使用者が破断ストリップ３７６を把持しやすくしてもよい。
【０１０２】
随意的に、副フラップ３２１は、開始セクションに沿って、折れやすい線またはミシン目３７４ｃ、３７４ｄによって画定される破断ストリップ３３２の一部を追加的に備える。小さな端部閉鎖フラップ３２１ａ／３２１ｂに配置される、さらなる折れやすい線３３８は、端部閉鎖フラップ３２１ａ／３２１ｂを、アクセス機構で取り除かれるセクション３２１ａと、（第２のサイドパネル３１２を連結するヒンジ式連結部３２５ａを介して）カートン３３０に取り付けられたまま残るセクション３２１ｂと、の２つのセクションに分離するように構成される。
【０１０３】
開始セクション３７８は、取り外し可能なアクセス機構の取り外しを開始するために設けられる。随意的に、開始セクション３７８は、小さな端部フラップ３２１ａ／３２１ｂに形成される孔を備える。しかしながら、別の想定される実施形態では、開始セクション３７８は、メイン底端部フラップ３２３ａ／３２３ｂに形成されてもよい。別の想定される実施形態では、開始セクション３７８は、折れやすい線または脆弱線または折り目によって部分的に画定され得る押圧タブを備えてもよい。このような押圧タブは、もっと簡単に副端部フラップ３２１ａ／３２１ｂの残部から破り外され得る（または、さらなる想定される実施形態では、大きな底端部フラップ３２３ｂから破り外され得る）脆弱エリアを提供する。使用者は、開始セクション孔３７８を活用して、折られやすい線３７４ａ，  ３７４ｂ，  ３７４ｃ，  ３７４ｄに沿っての破断または切断を伝えるために複合破断ストリップ３７６／３３２を引き寄せるために複合破断ストリップ３７６／３３２の十分に強い把持を達成することができる（図９参照）。
【０１０４】
凹部または切込みＲの供給が、折れやすい線３３４と、重なっている折れやすい線３７４ｂとを同時に切断することを容易にする。こうすると、重なっている端部閉鎖パネル３２１ｄ、３２３ｂは、より簡単に分離され得る。随意的に、開始セクション３３２及び開始セクション切込み３７８の供給により、凹部Ｒは、反対側の端部閉鎖パネル３２１ａ、３２１ｂに設けられない。
【０１０５】
破断ストリップ３７６／３３２の取り外し後、または、取り外し中、取り外し可能なアクセス機構の残部は、カートン３３０から分離され得る。破断ストリップ３７６／３３２の取り外し後、または、取り外し中、折れやすい線３３４は、副フラップ３２１ａ／３２１ｂ、３２１ｃ／３２１ｄの両方がそれぞれ２つの部品に分離されるように破断されてもよい。次いで、使用者は、上方向に残っている取り外し可能なセクションを引いて、隣接する第１及び第２の側壁３１６、３１２を有するヒンジ式連結部と一致するように配置される連結部３４０、３３８を切断することができる（図９及び図１０を参照）。次いで、取り外し可能なアクセス機構は、上端部閉鎖フラップ３２８ａとトップパネル３１８との間の頂点またはコーナーと一致するように形成される折れやすい連結部３５２に沿って破断または切断を伝えることによって、カートン３３０の残部あら完全に離間され得る。このように、トップパネル３１８、第１のサイドパネル３１６、または、第２のサイドパネル３１２のいずれかの部分もまたは少なくとも実質的な部分がカートン３３０から取り除かれることはない。複合端壁構造の一部だけが取り除かれる。カートン本体３３０は、これにより、その構造的完全性を維持し、物品を保持するために使用され得る。複合端壁の残部３２３ｂ／３２１ｃ／３２１ｂは、任意の物品の不意の放出を阻止するために十分に高い高さであり、かつ、消費者が、設けられた開口を通じて物品を容易に取り出すことができるのに十分に低い高さの防壁を形成する。
【０１０６】
有利に、カートンの本体は、アクセス機構の取り外しの後もその構造的完全性を維持する。このことは、カートン３３０が、冷蔵庫などの高湿度環境（湿気は板紙基材を弱化し得る）において貯蔵され得る際、及び／または、カートン３３０が重い物品（１２оｚ／３３０ｍｌのグラスボトルなど）を含む際に利点である。さらに、消費者が、貯蔵及び棚の高さ制限がカートンのトップパネルを介するアクセスをより困難にさせる冷蔵庫の中にカートン３３０を置くことができることが所望される。従って、カートン３３０が冷蔵庫の棚上に配置される際に前に配置される端壁に（随意的により幅がある側部より幅が最も狭い端部に配置される）開口を提供することによって、カートンのトップパネルを通じて物品を引き出す必要性、及び、従って、冷蔵庫内のカートン３３０の上の高さの必要性が軽減される。物品及びカートンの底壁、上壁、側壁の相対的な配向は、ボトルＡなどのように物品が先細である場合により考慮されてもよい。また、壊れやすい物品（ボトルがガラスのとき）の保護と同時に安定性の理由にために、物品Ａの基部がその上に接触する、カートンのボトムパネル３１４が一番底になるようにカートン３３０を配向され続けることが所望される。
【０１０７】
図１１を参照すると、別の、アクセス機構を有する完全に閉じられた端部積載式カートン４９０（図１２参照）を形成するための、随意的に例えば板紙などの折り畳み可能なシート材から形成される別のブランク４１０が示される。
【０１０８】
アクセス機構は、図１１〜図１５に図示される。アクセス機構（アクセス手段、取り出し口、または取り外し可能部分とも称される）は、一連の折れやすい線または折れやすいセクション４５２，４４０，４３４，４３６，４４４，４３２，４３８、開始セクション４２３Ａ、及び、凹部４６４、４６２または凹部４６４、４６２によって画定される。
【０１０９】
第１の折れやすい線４５２は、第１のサイドパネル４１８に配置され、そこに第１のサイドパネル４１８の取り外し可能セクション４５４、４５６を画定する。さらになる折れやすい線４４０、４３４は、副端部閉鎖パネル４２６Ａに配置され、副端部閉鎖フラップ４２６Ａを、アクセス機構と共に移動されるセクション４２１Ｄと、（トップパネル４１６とのヒンジ式連結部４２５Ｃを介して）カートン４９０に取り付けられたままになるセクション４２１Ｃとの２つのセクションに分離するように構成される。凹部または切込み４６４は、副端部フラップ４２６Ａの弓形の切り抜きによって形成される。弓形の切り抜きは、まっすぐな側部カットと、凹部または切込み４６４の湾曲した末端部を提供する弓形の側部カットとによって画定される。追加的な折れやすい線４４４、４３６は、開始セクション４２３Ａに沿って大きな端部閉鎖フラップ４２４Ａに配置される。さらなる折れやすい線４３８、４３２は、副端部閉鎖フラップ４２２Ａに配置され、副端部閉鎖フラップ４２２Ａを、アクセス機構と共に移動されるセクション４２１Ａと、（ボトムパネル４１２とのヒンジ式連結部４２５Ａを介して）カートン４９０に取り付けられたままになるセクション４２１Ｂとの２つのセクションに分離するように構成される。凹部４６４は、副端部フラップ４２２Ａの弓形の切り抜きによって形成される。弓形の切り抜きは、まっすぐな側部カットと、凹部４６２の湾曲した末端部を提供する弓形の側部カットとによって画定される。
【０１１０】
開始セクション４２３Ａは、随意的に、少なくとも、弓形の折れやすい線４５０によって部分的に、かつ、折れやすい線、脆弱線、または折り目４４８によって部分的に画定さえ得る。押圧タブ４４６は、取り外し可能なアクセス機構の取り外しを開始するために、大きな端部フラップ４２４Ａの残部からより簡単に破り外され得る脆弱エリアを提供する。折り目４４８は、押圧タブ４４６の先導部分を内側に折って、使用者が開始セクション４２３Ａの残部のより強い把持を可能にするため活用できる、カートン４９０の開口を生成するのに役立ち得る。折り目４４２と折れやすい線または切断線４４４との間の開始セクション４２３Ａの直線部分は、次いで、折れやすい線４３６と大きな端部フラップ４２４Ａの切り口とによって画定される開始セクション４２３Ａの残部を覆うように折り目４４２で折るためにカートン内へ先導縁押圧タブ４４６に容易に続いていくことができる。
【０１１１】
カートン４９０は、前述のように組み立てられる。小さな端部フラップ４２２Ａ、４２６Ａは、重複領域において折り目４４２が、凹部４６２、４６４と揃えられるように大きな端部フラップ４２４Ａの下に配置される。折り目４４２が、折り目とて役立つように意図される一方で、ある構成では、折り目４４２は、折れやすいように形成されてもよい。凹部４６２、４６４は、折り目４４２がより簡単に破断するまたは折れることを可能にする。
【０１１２】
カートン４９０の外側から、アクセス機構の一部、即ち、トップパネル４１８に折れやすい線４５２によって示される取り外し可能部分４５４、４５６と；  大きな端部フラップ４２８Ａ、及び、折り目４４０、４３４、４３８、４３２によって示される小さな端部フラップ４２６Ａ、４２２Ａの一部４２１Ｄ，４２１Ａと；  大きな端部フラップ４２４Ａに形成される開始セクション４２３Ａの一部と；が可視できる。
【０１１３】
アクセス機構は使用され始めているが、カートン４９０の内側から（図１４参照）、アクセス機構の異なる態様が可視できる。それでもなお、カートン４９０が構築される際、アクセス機構は、小さな端部フラップ４２２Ａ、４２６Ａの移動可能セクション４２１Ａ、４２１Ｄと共に連接的に形成され、かつ、凹部４６４、４６２と揃えられる開始セクション４２３Ａをさらに備えることが、図１４及び図１１から理解されるだろう。  
【０１１４】
開始セクション４２３Ａ及び凹部または切込み４６４、４６２は、使用者が、折れやすい線４４４、４３６を破って、開始セクション４２３Ａの先導部４４６をカートン４９０内に押圧する、開始セクション４２３Ａを内側に押圧するまたは突くことができるように協働する（図１３を参照）。
【０１１５】
開始セクション４２３Ａの先導部４４６は、次いで、折り目４４２で折り曲げ可能であり（図１１を参照）、開始セクション４２３Ａの先導部及び小さな端部フラップ４２６Ａ、４２２Ａ（特に凹部４６４、４６２のサイズ及び位置）の補完的な形状及び協働的な構造のおかげで、開始セクション４２３Ａの先導部は、少なくとも、小さな端部フラップ４２１Ａの一部、小さな端部フラップ４２１Ｄの一部、及び、大きな端部フラップ４２８Ａの一部の内側面と重複する面接触関係になるのに充分に折り曲げ可能である。
【０１１６】
開始セクション４２３Ａの先導部は、（上述のように、かつ、図１４に図示されるように）重ねて折られる際に、先導部が重なって、互いに直接取り付けられなくてもよい、アクセス機構の把持セクション４２１Ａ、４２１Ｄ及び４２８Ａの便利で効率的な手段を提供する。言い換えると、開始部分４２３Ａの折り重ねられた部分の重複された性質、サイズ、形状が、カートン４９０からの部分４２１Ａ、４２１Ｄ及び４２３Ａの効率的できれいな取り外しに役立つ。アクセル機構の全ての取り外し可能パーツが完全に移動されると、一番端の物品Ａは、それらを引き出すために十分に露出され、その間同時に、開かれたカートン４９０から１つ以上の物品を不注意または故意でない放出を防ぐように十分に保持されることが図１５に示される。
【０１１７】
アクセス機構は、第１のサイドパネル４１８及び複合端壁に形成されるように説明されてきたが、代替的または随意的に、アクセス機構が、第２のサイドパネル４１４に少なくとも部分的に形成され得ることが理解されるだろう。
【０１１８】
図１６Ａ及び図１６Ｂでは、アクセス機構の別の実施形態が、第１のサイドパネル５１８に形成されるより小さく、正方形の取り外し可能部分５５４を備える。さらに、パネル５２３Ｂに形成される開始セクションは、初めに図示された実施形態に備えられる折れやすい線４５０及び４４８を備えなく、折り目５４８に沿って大きな端部フラップ５２４Ａにヒンジ式で連結された、割り込まれない部分を備えてもよい。開始セクションは、まだカート５９０の内側に押圧されていて、取り外し可能なアクセス機構の移動を開始してもよい。開始セクションは、一連の湾曲した縁（一度破られた）を備え、補足的な手段で、小さな端部閉鎖タブが、随意的に凹部または切込み５６２、５６４と共に形状化され、開始セクションに折り通すため、かつ／または、開始セクションの折り目の破断を容易にするための隙間空間を提供する。追加的に、小さな端部フラップは、開始セクションが凹部または切込み５６２、５６４によって設けられた隙間を通して折られた後に、開始セクションが小さなフラップの取り外し可能部分５２１Ａ、５２１Ｄと接触関係になるように折り重ねられて、小さな端部フラップと隣接するメインパネル５１２、５１６との間の連結部と揃えられた折れやすい線５４０、５３８の破断によって取り外し可能部分５２１Ａ、５２１Ｄの取り外しに役立ち得る。
【０１１９】
図１７Ａ及び図１７Ｂに図示される最後の実施形態では、アクセス機構が、再び、第１のサイドパネル６１８に形成された、より小さな正方形の取り外し可能部分６５４を備える。さらに、パネル６２３Ｂに形成される開始セクションは、第１のサイドパネル６１６により近く、図示された初めの実施形態に備えられた折れやすい線４５０及び４４８を備えない。開始セクション６４６は、まだカート６９０の内側に押圧されていて、取り外し可能なアクセス機構の移動を開始してもよい。開始セクションは、一連の湾曲した縁（一度破られた）を備え、補足的な手段で、小さな端部閉鎖タブが、随意的に凹部または切込み６６２、６６４と共に形状化され、開始セクションに折り通すため、かつ／または、破断し通すための隙間空間を提供する。追加的に、小さな端部フラップは、開始セクションが凹部または切込み６６２、６６４によって設けられた隙間を通して折られた後に、開始セクションが小さなフラップの取り外し可能部分６２１Ａ、６２１Ｄと接触関係になるように折り重ねられて、小さな端部フラップと隣接するメインパネル６１２、６１６との間の連結部と揃えられた折れやすい線の破断によって取り外し可能部分６２１Ａ、６２１Ｄの取り外しに役立ち得る。
【０１２０】
本発明の範囲内で、様々な変更を施すことが可能であることが理解できる。例えば、パネル及び開口の大きさ及び形状は、異なる大きさ又は形状の物品を収容するように調整されてもよい。特に、凹部または切込みＲは、限定することなく、完全に閉鎖されたカートン、包み込むカートン、バスケキャリア式カートン、上部を把持するカートン、及び、同類物を含む様々カートンの様式に採用され得る。本願発明には、２つ以上の少なくとも部分的に重なるパネルが採用され得、２つ以上のパネル間の重複部にわたる切断用の連続的な切断線を設けること所望される。
【０１２１】
前述の実施形態では、凹部または切込みＲは、代替案が切断用の脆弱線に対してそうであったように、切断線に割り当てられるまたは揃えられて配置されてもよい。
【０１２２】
前述の実施形態では、凹部Ｒを備えるカートンパネルが外側に（一番外側に）配置され、切断用の脆弱線を備えるカートンパネルが内側に（一番内側に）配置されるが、別の実施形態では、凹部が、断用の脆弱線を有するカートンパネルの内側に配置されてもよいことが理解できるだろう。
【０１２３】
本明細書で用いられているように、「頂部（top）」、「底部（bottom）」、「前（front）」、「後ろ（back）」、「端部（end）」、「側部（side）」、「内側（inner）」、「外側（outer）」、「上側（upper）」、及び「下側（lower）」といった方向に関する言及は、必ずしも各パネルがこのように方向付けられていると限定するものではなく、単にこれらのパネルを互いに区別するのに役立つものであってよいことは認識されるであろう。
【０１２４】
本明細書で用いられているように、「ヒンジ式連結」及び「折り目」との用語は、ブランクのヒンジ機構を定義し、ブランクの一部を互いに対して折り曲げるのを容易にし、または、その他の方法でブランクのパネルを折り曲げる最適位置を示す、あらゆる種類の線を意味する。折り目は、通常、スコア線、エンボス線、又はデボス線である。「ヒンジ式連結」又は「折り目」についての任意の言及は、必ずしも単一の折り目のみを指しているものとして解されるべきではない。実際、ヒンジ式連結は、ショートスリット（short slit）、折れやすい線（frangible line）、又は本発明の範囲を逸脱しない折り目の内の任意の１つ以上から形成することができる。
【０１２５】
本明細書で用いられているように、「切断用の脆弱線（weakened lines of severance）」との用語は、基材の一部を互いから分離するのを容易にする、又は最適な分離位置を示す、あらゆる種類の線を意味する。切断用の脆弱線（weakened lines of severance）」は、限定することなく、シングルカット（single cut）、シングルハーフカット（single half-cut）、シングルスリット（single slit）、割り込みカット（interrupted cut）、分割ライン（score line）、割り込み分割ライン（interrupted score line）、穴が多数空いたミシン目（perforation or line of perforations）、ショートスリットライン（line of short slits）、ショートハーフカットライン（line of short half cuts）、スリットと分割ラインの組み合わせ、及び、前述の選択肢の任意の組み合わせを含む１つ以上の要素から形成される折れやすい線または脆弱線であり得る。ある実施形態では、脆弱線は、基材が分断されさえすればよい切断線によって形成されてもよい。
【０１２６】
本願で使用される「ヒンジ式連結」との用語、及び「折り目」との用語それぞれは、限定することなく、孔（perforations）、ミシン目（line of perforations）、ショートスリットライン（line of short slits）、ハーフカットライン（line of half-cuts）、シングルハーフカットライン（single half-cut）、カットライン、割り込みカットライン（interrupted cut line）、スリット、スコア、これらの任意の組み合わせ、及び同類物を含む、ブランクの基材において形成される１つ以上の要素を含むことができるということが理解されるべきである。
【０１２７】
切断用の脆弱線、ヒンジ式連結部または折り目の１つ以上の要素は、所望される機能性を提供するように寸法付け及び構成され得る。例えば、ミシン目または有孔線は、折り目及び／または切断用の脆弱線を規定する脆弱度で寸法付け及び設計され得る。有孔線は、折り易くかつ破断しないように、折りやすくかつ力をよりかけて破断し易く、または、小さな力でも破断し易いように設計され得る。
【０１２８】
本願で用いられている「に割り当てられる（in registry with）」との表現は、２つの重なるパネルにそれぞれ形成された切断用の２つの脆弱線を揃えることや、２つの重なるパネルにそれぞれ形成された１つの切断用の脆弱線と１つの細長い凹部または切込みとを揃えることなどの、組み立てられたカートンにおける２つ以上の要素の整列を意味する。互いに割り当てられたこれらの要素は、重なるパネルの厚み方向において互いに揃えられてもよい。例えば、第１のパネルの細長い凹部が、第１のパネルと重なるように配置される第２のパネルの切断用の脆弱線に「割り当てられる」際は、切断用の脆弱線は、細長い凹部に沿って延在してもよく、第１及び第２のパネルの厚み方向において凹部と揃えられてもよい。
【符号の説明】
【０１２９】
１０  ブランク
１１、１３、１７、２１ａ、２１ｂ、２３ａ、２３ｂ、２５ａ、２５ｂ、２７ａ、２７ｂ、３２ａ、３２ｂ、３６ａ、３６ｂ、４１ａ、４１ｂ、４５ａ、４５ｂ、４７、６１ａ、６１ｂ、６５ａ、６５ｂ、６７  折り目
１２、１４、１６、１８  メインパネル
２０  接着パネル
２２ａ、２４ａ、２６ａ、２８ａ、２２ｂ、２４ｂ、２６ｂ、２８ｂ  端部閉鎖パネル
３０ａ、３０ｂ、３４ａ、３４ｂ、５１、７１  脆弱線
４０ａ４０ｂ６０ａ、６０ｂ  ウェブ・パネル
４３ａ、４３ｂ、４９ａ、４９ｂ、６３ａ、６３ｂ、６９ａ、６９ｂ  切断線
５２、７２  ハンドル・フラップ
７０ａ、７０ｂ  切込み側部
７３  切断部分（末端部）
９０  カートン
Ｅ  端部を引く手段
Ｒ  凹部、切込み
【図１】
2015520082.tif 000003
【図２】
2015520082.tif 000004
【図３】
2015520082.tif 000005
【図４】
2015520082.tif 000006
【図５】
2015520082.tif 000007
【図６】
2015520082.tif 000008
【図７】
2015520082.tif 000009
【図８】
2015520082.tif 000010
【図９】
2015520082.tif 000011
【図１０】
2015520082.tif 000012
【図１１】
2015520082.tif 000013
【図１２】
2015520082.tif 000014
【図１３】
2015520082.tif 000015
【図１４】
2015520082.tif 000016
【図１５】
2015520082.tif 000017
【図１６Ａ】
2015520082.tif 000018
【図１６Ｂ】
2015520082.tif 000019
【図１７Ａ】
2015520082.tif 000020
【図１７Ｂ】
2015520082.tif 000021
【国際調査報告】
2015520082.tif 000022
2015520082.tif 000023
2015520082.tif 000024